(57)【要約】      （修正有）【課題】隣接する傘生地の側端部相互を縫着して縫目となる中縫線の開傘時における防水性に優れ、また雨水が隣接する傘生地相互に伝わることなく、各傘生地における雨水の分配、排水が確実にかつ効率良く行える洋傘を提供する。【解決手段】平面視略三角形の傘生地１Ａ,１Ｂ・・・の隣接する側端部２ａ,２ｂ相互は、表面側において断面ループ状の第１閉鎖布片３の下半部３Ａが中縫線Ｎ内に挿入されて縫着され、裏面側において第２閉鎖布片５が中縫線に沿って第１閉鎖布片の基端部４ａと一緒に傘生地の側端部相互を包み込むように縫着され、第２閉鎖布片５は、切端部５ａが内側に折り込まれる。【選択図】図１
0003149282.tif 000002
【実用新案登録請求の範囲】
【請求項１】
平面視略三角形をなす８枚以上の傘生地の左右２つの挟辺のうちの隣接する相互の側端部を縫着する洋傘であり、
前記傘生地の側端部相互は、表面側において断面ループ状の第１閉鎖布片の基端部側の下半部が前記側端部を縫着する中縫線内に挿入されて縫着され、
前記傘生地の側端部相互は、裏面側において第２閉鎖布片が前記中縫線に沿って前記第１閉鎖布片の基端部と一緒に前記傘生地の側端部相互を包み込むように縫着され、
前記第２閉鎖布片は、その左右の切端部が内側に折り込まれている
ことを特徴とする洋傘。
【請求項２】
前記傘生地の左右の側端部のうち何れか一方は、隣接する前記傘生地の左右の側端部のうちの何れか他方を包み込むように前記中縫線に沿って上方から下方に、および下方から上方に折曲されて縫着されていることを特徴とする請求項１に記載の洋傘。
【請求項３】
前記第１閉鎖布片が、断面逆Ｕ字形に２つ折りされて上半部が隣接される前記傘生地の表面側に石付を中心に突出されて前記中縫線に沿って縫着されていることを特徴とする請求項１または２の何れかに記載の洋傘。
【請求項４】
前記第２閉鎖布片が、左右何れか一方の側に前記切端部が重ね合わされて前記切端部が内側に折り込まれるように２つ折りされてから３つ折りに設けられるか、または前記中縫線を基準として前記切端部が内側に折り込まれるように３つ折りして設けられていることを特徴とする請求項１〜３の何れか１項に記載の洋傘。
【請求項５】
前記傘生地の底辺部には、その切端部が包み込まれる被覆布片が２つ折りされて縫着けられていることを特徴とする請求項１〜４の何れか１項に記載の洋傘。
【考案の詳細な説明】
【技術分野】
【０００１】
本考案は洋傘に関し、隣接する傘生地の側端部相互を縫着して縫目となる中縫線の開傘時における防水性に優れ、また雨水が隣接する傘生地相互に伝わることなく、各傘生地における雨水の分配、排水が確実にかつ効率良く行えるものである。
【背景技術】
【０００２】
従来、雨傘には、ビニロン繊維布等の超音波融着可能な傘生地の頂角を挟む２辺の縫い合わせ目を超音波融着手段により傘生地同士を融着縫合して、開傘時における略球面状となるように形成し、傘の親骨に取り付けるものがあった。そして、予め融着可能な糸により縫着して仮縫いした後に、超音波融着手段により傘生地同士を融着、縫合するものがあった（例えば特許文献１参照。）。
【先行技術文献】
【特許文献】
【０００３】
【特許文献１】実開平５−３４９１３号公報
【考案の概要】
【考案が解決しようとする課題】
【０００４】
しかしながら、特許文献１に記載の上記従来の傘は、紫外線を受けたり、雨水に含まれる酸性成分の影響を受けて使用による経年変化により傘生地が劣化するため、傘生地同士を融着縫合する傘生地の縫い合わせ目個所が風力を受けたり、または開傘時に強い引っ張り力等の外力が加わると、開裂することがある。そして、この開裂個所から、雨水が漏れ、傘は最早、使用の役に立たないことになり、防水性が万全とはいえなかった。
【０００５】
また、特許文献１に記載の上記従来の傘は、傘生地自体がビニロン繊維布等の超音波融着可能なものでなければ、超音波融着手段により傘生地同士を融着、縫合することにより傘を製作ができなかった。それ以外の合成繊維布は使用の予定としないものであった。
【０００６】
そして、特許文献１に記載の上記従来の傘は、超音波融着手段により傘生地同士を融着、縫合するものなので、設備費が高価であった。
【０００７】
さらに、特許文献１に記載の上記従来の傘は、傘の中棒を把持して傘を傾けると、傾けられた方向に隣接する傘生地を伝って雨水が落下する傾向にあり、降雨量が多くなると、傘の局部個所に集中して雨水は流れ落ち、排水が行われるので、使用者もその方向に臨まれる身体部所だけが雨水により濡れ易いという、問題があった。
【０００８】
本考案は上記従来の問題を解決し、隣接する傘生地の側端部相互を縫着して縫目となる中縫線の開傘時における防水性に優れ、また雨水が隣接する傘生地相互に伝わることなく、各傘地における雨水の分配、排水が確実にかつ効率良く行え、また、傘生地自体は防水性を発揮するものならば如何様な素材のものでも良く、設備費も安価に済む洋傘を提供することを目的とする。
【課題を解決するための手段】
【０００９】
本考案の請求項１に記載の考案は、平面視略三角形をなす８枚以上の傘生地の左右２つの挟辺のうちの隣接する相互の側端部を縫着する洋傘であり、
前記傘生地の側端部相互は、表面側において断面ループ状の第１閉鎖布片の基端部側の下半部が前記側端部を縫着する中縫線内に挿入されて縫着され、
前記傘生地の側端部相互は、裏面側において第２閉鎖布片が前記中縫線に沿って前記第１閉鎖布片の基端部と一緒に前記傘生地の側端部相互を包み込むように縫着され、
前記第２閉鎖布片は、その左右の切端部が内側に折り込まれていることを特徴とする。
【００１０】
また、本考案の請求項２に記載の考案は、請求項１において、前記傘生地の左右の側端部のうち何れか一方は、隣接する前記傘生地の左右の側端部のうちの何れか他方を包み込むように前記中縫線に沿って上方から下方に、および下方から上方に折曲されて縫着されていることを特徴とする。
【００１１】
また、本考案の請求項３に記載の考案は、請求項１または２の何れかにおいて、前記第１閉鎖布片が、断面逆Ｕ字形に２つ折りされて上半部が隣接される前記傘生地の表面側に石突を中心に突出されて前記中縫線に沿って縫着されていることを特徴とする。
【００１２】
また、本考案の請求項４に記載の考案は、請求項１〜３の何れか１項において、前記第２閉鎖布片が、左右何れか一方の側に前記切端部が重ね合わされて前記切端部が内側に折り込まれるように２つ折りされてから３つ折りに設けられるか、または前記中縫線を基準として前記切端部が内側に折り込まれるように３つ折りして設けられていることを特徴とする。
【００１３】
さらに、本考案の請求項５に記載の考案は、請求項１〜４の何れか１項において、前記傘生地の底辺部には、その切端部が包み込まれる被覆布片が２つ折りされて縫着けられていることを特徴とする。
【考案の効果】
【００１４】
本考案の請求項１に記載の考案によれば、平面視略三角形をなす８枚以上の傘生地の左右２つの挟辺のうちの隣接する相互の側端部を縫着する洋傘であり、前記傘生地の側端部相互は、表面側において断面ループ状の第１閉鎖布片の基端部側の下半部が前記側端部を縫着する中縫線内に挿入されて縫着され、前記傘生地の側端部相互は、裏面側において第２閉鎖布片が前記中縫線に沿って前記第１閉鎖布片の基端部と一緒に前記傘生地の側端部相互を包み込むように縫着され、前記第２閉鎖布片は、その左右の切端部が内側に折り込まれているので、隣接する傘生地の側端部相互を縫着して縫目となる中縫線から雨水が侵入するのが、傘生地の表面側においては第１閉鎖布片により傘生地の左右の側端部における縫着個所が覆われて侵入が阻止されるのと、傘生地の裏面側においては第１閉鎖布片の基端部と一緒に前記傘生地の側端部相互を包み込むように第２閉鎖布片が縫着されることにより傘生地に降雨された雨水が傘生地を縫着した縫い目個所から浸透されるのが、第２閉鎖布片により阻止されるのと、の傘生地の表面側および裏面側の双方において阻止されるため、開傘時の防水性は優れたものになる。また、傘生地の側端部相互は、断面ループ状の第１閉鎖布片の基端側の下半部が、前記側端部を縫着する中縫線内に挿入されることにより表面側に前記第１閉鎖布片の上半部が突出されるように縫着されているので、傘生地相互は傘生地の表面側に上半部が突出された第１閉鎖布片により仕切られるため、雨水が隣接する傘生地相互に伝わって流れ落ちることなく、各傘生地における雨水の分配、排水が確実にかつ効率良く行える。また、特許文献１に記載の従来の傘の傘生地とは異なり、傘生地自体は防水性を発揮するものならば如何様な素材のものでも良く、特許文献１に記載の従来の傘のように、超音波融着手段により傘生地同志を融着、縫合するものではないので、設備費も安価に済む。
【００１５】
また、本考案の請求項２に記載の考案によれば、請求項１において、前記傘生地の左右の側端部のうち何れか一方は、隣接する前記傘生地の左右の側端部のうちの何れか他方を包み込むように前記中縫線に沿って上方から下方に、および下方から上方に折曲されて縫着されているので、傘生地の左右の側端部のうち何れか一方は、隣接する他方の傘生地の左右の側端部のうちの何れかにより包み込まれて縫着されるため、傘生地相互の中縫線に沿う縫い目個所の雨水に対する防水性に優れる。また、傘生地の左右の側端部での切端部における糸の解れは保護される。
【００１６】
また、本考案の請求項３に記載の考案によれば、請求項１または２の何れかにおいて、前記第１閉鎖布片が、断面逆Ｕ字形に２つ折りされて上半部が隣接される前記傘生地の表面側に石突を中心に突出されて前記中縫線に沿って縫着されているので、隣接する傘生地の側端部相互を縫着して縫目となる中縫線から雨水が侵入するのが、傘生地の表面側においては第１閉鎖布片により傘生地の左右の側端部における縫着個所が覆われることにより阻止され、雨水に対する傘生地の表面側からの防水性が発揮される。
【００１７】
また、本考案の請求項４に記載の考案によれば、請求項１〜３の何れか１項において、前記第２閉鎖布片が、左右何れか一方の側に前記切端部が重ね合わされて前記切端部が内側に折り込まれるように２つ折りされてから３つ折りに設けられるか、または前記中縫線を基準として前記切端部が内側に折り込まれるように３つ折りして設けられているので、隣接する傘生地の側端部相互は、第２閉鎖布片が縫目となる中縫線に沿って裏面側に縫着されることにより、傘生地の裏面側においては第１閉鎖布片の基端部と一緒に前記傘生地の側端部相互を包み込むように第２閉鎖布片が縫着されて傘生地に降雨された雨水が傘生地を縫着した縫い目個所から浸透されるのが、第２閉鎖布片により阻止されるため、開傘時における雨水に対する傘生地の裏面側からの防水性に優れる。また、傘生地の左右の側端部における切端部、および第２閉鎖布片自体の左右の切端部の糸の解れは、第２閉鎖布片により、傘生地の下面から保護される。
【００１８】
さらに、本考案の請求項５に記載の考案によれば、請求項１〜４の何れか１項において、前記傘生地の底辺部には、その切端部が包み込まれる被覆布片が２つ折りされて縫着けられているので、被覆布片により傘生地の底辺部における切端部からの糸の解れは防止される。
【図面の簡単な説明】
【００１９】
【図１】図１は本考案の洋傘の実施形態を示す拡大斜視図である。
【図２】図２は同じく平面図である。
【図３】図３は同じく裏面図である。
【図４】図４は同じく図２のＡ−Ａ拡大断面図である。
【図５】図５は同じく図２のＢ−Ｂ拡大断面図である。
【図６】図６は同じく図２のＣ−Ｃ拡大断面図である。
【図７】図７は同じく第２閉鎖布片の他例を示す拡大断面図である。
【考案を実施するための形態】
【００２０】
以下図面に従い、本考案を実施するための最良の形態につき詳細を説明する。
【００２１】
本実施形態は、平面視略三角形をなす８枚以上の傘生地１Ａ,１Ｂ,１Ｃ,１Ｄ,１Ｅ,１Ｆ,１Ｇ,１Ｈ・・・の左右２つの挟辺のうちの隣接する相互の側端部２ａ,２ｂを縫着する洋傘であり、前記傘生地１Ａ,１Ｂ,１Ｃ,１Ｄ,１Ｅ,１Ｆ,１Ｇ,１Ｈ・・・の側端部２ａ,２ｂ相互は、表面側において断面ループ状の第１閉鎖布片３の基端部４ａ,４ａ側の下半部３Ａが前記側端部２ａ,２ｂを縫着する中縫線Ｎ内に挿入されて縫着され、前記傘生地１Ａ,１Ｂ,１Ｃ,１Ｄ,１Ｅ,１Ｆ,１Ｇ,１Ｈ・・・の側端部２ａ,２ｂ相互は、裏面側において第２閉鎖布片５が前記中縫線Ｎに沿って前記第１閉鎖布片３の基端部４ａ,４ａと一緒に前記傘生地１Ａ,１Ｂ,１Ｃ,１Ｄ,１Ｅ,１Ｆ,１Ｇ,１Ｈ・・・の側端部２ａ,２ｂ相互を包み込むように縫着され、前記第２閉鎖布片５は、その左右の切端部５ａ,５ａが内側に折り込まれている。
【００２２】
前記傘生地１Ａ,１Ｂ,１Ｃ,１Ｄ,１Ｅ,１Ｆ,１Ｇ,１Ｈ・・・は、たとえばポリエステル樹脂、ポリアミド樹脂、ポリプロピレン樹脂、ポリエチレン樹脂、ポリアクリル樹脂、ポリ塩化ビニール樹脂等の合成繊維、レーヨンのような人造繊維、また、絹、綿、麻等の天然繊維よりなる布帛、綿等の撥水加工や防水加工が施されたものが使用される。
【００２３】
図１、および図４に示すように、前記傘生地１Ａ,１Ｂ,１Ｃ,１Ｄ,１Ｅ,１Ｆ,１Ｇ,１Ｈ・・・の左右の側端部２ａ,２ｂのうち何れか一方は、隣接する前記傘生地１Ａ,１Ｂ,１Ｃ,１Ｄ,１Ｅ,１Ｆ,１Ｇ,１Ｈ・・・の左右の側端部２ａ,２ｂのうちの何れか他方を包み込むように前記中縫線Ｎに沿って上方から下方に、および下方から上方に折曲されて縫着されている。
【００２４】
図１、および、図２、図４に示すように、前記第１閉鎖布片３が、断面逆Ｕ字形に２つ折りされて上半部３Ｂが隣接される前記傘生地１Ａ,１Ｂ,１Ｃ,１Ｄ,１Ｅ,１Ｆ,１Ｇ,１Ｈ・・・の表面側に石突６を中心に突出されて前記中縫線Ｎに沿って縫着されている。
【００２５】
前記第２閉鎖布片５が、図１、および図４に示すように左右何れか一方の側に前記切端部５ａ,５ａが重ね合わされて前記切端部５ａ,５ａが内側に折り込まれるように２つ折りされてから閉鎖端を３つ折りに設けられるか、または図７に示すように前記中縫線Ｎを基準として前記切端部５ａ,５ａが内側に折り込まれるように３つ折りして設けられても良い。
【００２６】
前記傘生地１Ａ,１Ｂ,１Ｃ,１Ｄ,１Ｅ,１Ｆ,１Ｇ,１Ｈ・・・の底辺部８には、その切端部９ａ,９ａが包み込まれる被覆布片９が２つ折りされて縫着けられている。
【００２７】
Ｋは隣接する傘生地１Ａ,１Ｂ,１Ｃ,１Ｄ,１Ｅ,１Ｆ,１Ｇ,１Ｈ・・・の側端部２ａ,２ｂ相互、前記第１閉鎖布片３の下半部３Ａ、第２閉鎖布片５とを縫い目個所に一緒に縫着するための縫糸である。
【００２８】
本考案の洋傘の実施形態は以上の構成からなり、平面視略三角形をなす８枚以上の傘生地１Ａ,１Ｂ,１Ｃ,１Ｄ,１Ｅ,１Ｆ,１Ｇ,１Ｈ・・・の左右２つの挟辺のうちの隣接する相互の側端部２ａ,２ｂは、表面側において断面ループ状の第１閉鎖布片３の基端部４ａ,４ａ側の下半部３Ａが前記側端部２ａ,２ｂを縫着する中縫線Ｎ内に挿入されて縫着されているので、表面側においては第１閉鎖布片３により傘生地１Ａ,１Ｂ,１Ｃ,１Ｄ,１Ｅ,１Ｆ,１Ｇ,１Ｈ・・・の左右の側端部２ａ,２ｂにおける縫着個所が覆われるため、隣接する傘生地１Ａ,１Ｂ,１Ｃ,１Ｄ,１Ｅ,１Ｆ,１Ｇ,１Ｈ・・・の側端部２ａ,２ｂ相互を縫着して縫目となる中縫線Ｎから雨水が侵入するのが阻止される。また、傘生地１Ａ,１Ｂ,１Ｃ,１Ｄ,１Ｅ,１Ｆ,１Ｇ,１Ｈ・・・の表面側においては第１閉鎖布片３により傘生地１Ａ,１Ｂ,１Ｃ,１Ｄ,１Ｅ,１Ｆ,１Ｇ,１Ｈ・・・の左右の側端部２ａ,２ｂにおける縫着個所が覆われるので、縫着個所が表面側から見えるという、外観的な不体裁はなくなる。
【００２９】
この際、図１、および図４に示すように、前記傘生地１Ａ,１Ｂ,１Ｃ,１Ｄ,１Ｅ,１Ｆ,１Ｇ,１Ｈ・・・の左右の側端部２ａ,２ｂのうち何れか一方は、隣接する前記傘生地１Ａ,１Ｂ,１Ｃ,１Ｄ,１Ｅ,１Ｆ,１Ｇ,１Ｈ・・・の左右の側端部２ａ,２ｂのうちの何れか他方を包み込むように前記中縫線Ｎに沿って上方から下方に、および下方から上方に折曲されて縫着されているので、傘生地１Ａ,１Ｂ,１Ｃ,１Ｄ,１Ｅ,１Ｆ,１Ｇ,１Ｈ・・・の左右の側端部２ａ,２ｂのうち何れか一方は、隣接する他方の傘生地１Ａ,１Ｂ,１Ｃ,１Ｄ,１Ｅ,１Ｆ,１Ｇ,１Ｈ・・・の左右の側端部２ａ,２ｂのうちの何れか他方により包み込まれて縫着されるため、傘生地１Ａ,１Ｂ,１Ｃ,１Ｄ,１Ｅ,１Ｆ,１Ｇ,１Ｈ・・・相互の中縫線Ｎに沿う縫い目個所の雨水に対する防水性は充分である。そして、傘生地１Ａ,１Ｂ,１Ｃ,１Ｄ,１Ｅ,１Ｆ,１Ｇ,１Ｈ・・・の左右の側端部２ａ,２ｂでの切端部における糸の解れは、側端部２ａ,２ｂのうちの何れか一方を、側端部２ａ,２ｂのうちの何れか一方により保護される。
【００３０】
また、前記傘生地１Ａ,１Ｂ,１Ｃ,１Ｄ,１Ｅ,１Ｆ,１Ｇ,１Ｈ・・・の側端部２ａ,２ｂ相互は、裏面側において第２閉鎖布片５が前記中縫線Ｎに沿って前記第１閉鎖布片３の基端部４ａ,４ａと一緒に前記傘生地１Ａ,１Ｂ,１Ｃ,１Ｄ,１Ｅ,１Ｆ,１Ｇ,１Ｈ・・・の側端部２ａ,２ｂ相互を包み込むように縫糸Ｋにより縫着され、前記第２閉鎖布片５は、図７に示すように２つ折り、または図１、および図４に示すように３つ折りにされて、その左右の切端部５ａ,５ａが第２閉鎖布片５自体の内側に折り込まれているので、傘生地１Ａ,１Ｂ,１Ｃ,１Ｄ,１Ｅ,１Ｆ,１Ｇ,１Ｈ・・・の裏面側においては第１閉鎖布片３の基端部４ａ,４ａと一緒に前記傘生地１Ａ,１Ｂ,１Ｃ,１Ｄ,１Ｅ,１Ｆ,１Ｇ,１Ｈ・・・の側端部２ａ,２ｂ相互を包み込むように第２閉鎖布片５が外側裏面から縫着されることにより傘生地１Ａ,１Ｂ,１Ｃ,１Ｄ,１Ｅ,１Ｆ,１Ｇ,１Ｈ・・・に降雨された雨水が傘生地１Ａ,１Ｂ,１Ｃ,１Ｄ,１Ｅ,１Ｆ,１Ｇ,１Ｈ・・・を縫着した中縫線Ｎに沿う縫い目個所から浸透されるのが、第２閉鎖布片５により阻止される。また、前記傘生地１Ａ,１Ｂ,１Ｃ,１Ｄ,１Ｅ,１Ｆ,１Ｇ,１Ｈ・・・の側端部２ａ,２ｂ相互の縫着個所は、図１，図３,図４に示すように裏面側において第２閉鎖布片５により覆われるので、側端部２ａ,２ｂ相互の縫着個所が外部より見えるという、外観的な不体裁は一掃される。
【００３１】
この際、第２閉鎖布片５が、前記中縫線Ｎに沿って前記第１閉鎖布片３の基端部４ａ,４ａと一緒に前記傘生地１Ａ,１Ｂ,１Ｃ,１Ｄ,１Ｅ,１Ｆ,１Ｇ,１Ｈ・・・の側端部２ａ,２ｂ相互を包み込むように縫着するには、図１、および図４に示すように左右何れか一方の側に前記切端部５ａ,５ａが重ね合わされて前記切端部５ａ,５ａが内側に折り込まれるように２つ折りされてから３つ折りに設けられるか、または、図７に示すように前記中縫線Ｎを基準として前記切端部５ａ,５ａが内側に折り込まれるように３つ折りして設ければよい。
【００３２】
また、傘生地１Ａ,１Ｂ,１Ｃ,１Ｄ,１Ｅ,１Ｆ,１Ｇ,１Ｈ・・・の左右の側端部２ａ,２ｂにおける切端部、および第２閉鎖布片５自体の左右の切端部５ａ,５ａの糸の解れは、第２閉鎖布片５が、傘生地１Ａ,１Ｂ,１Ｃ,１Ｄ,１Ｅ,１Ｆ,１Ｇ,１Ｈ・・・の下面から覆うことにより保護される。
【００３３】
このように、傘生地１Ａ,１Ｂ,１Ｃ,１Ｄ,１Ｅ,１Ｆ,１Ｇ,１Ｈ・・・の表面側および裏面側の双方において、隣接される傘生地１Ａ,１Ｂ,１Ｃ,１Ｄ,１Ｅ,１Ｆ,１Ｇ,１Ｈ・・・の側端部２ａ,２ｂ相互を縫着した縫い目個所は、表面側は第１閉鎖布片３により、また裏面側は第２閉鎖布片５により、雨水の侵入が阻止されるため、開傘時の防水性は優れたものになる。
【００３４】
従って、特許文献１に記載の上記従来の傘では、紫外線を受けたり、雨水に含まれる酸性成分の影響を受けて使用による経年変化により傘生地が劣化した場合に、傘生地同士を融着縫合する傘生地の縫い合わせ目個所が風力を受けたり、または開傘時に強い引っ張り力等の外力が加わると、開裂することがあり、この開裂個所から、雨水が漏れ、傘は最早、使用の役に立たないことになり、防水性が万全とはいえなくなるという問題は本実施形態ではなくなる。
【００３５】
また、特許文献１に記載の上記従来の傘は、傘生地自体がビニロン繊維布等の超音波融着可能なものでなければ、超音波融着手段により傘生地同志を融着、縫合することができないのとは異なり、本実施形態では傘生地１Ａ,１Ｂ,１Ｃ,１Ｄ,１Ｅ,１Ｆ,１Ｇ,１Ｈ・・・の側端部２ａ,２ｂ相互を固着するのに、特許文献１に記載の上記従来の傘のように、超音波融着手段を採用することなく、縫着により行われているので、傘生地１Ａ,１Ｂ,１Ｃ,１Ｄ,１Ｅ,１Ｆ,１Ｇ,１Ｈ・・・自体は、たとえばポリエステル樹脂、ポリアミド樹脂、ポリプロピレン樹脂、ポリエチレン樹脂、ポリアクリル樹脂、ポリ塩化ビニール樹脂等の合成繊維、レーヨンのような人造繊維、また、絹、綿、麻等の天然繊維よりなる布帛、綿等の布帛に撥水加工や防水加工が施されたものであれば如何様なものでも良く、設備費も安価になる。
【００３６】
また、傘生地１Ａ,１Ｂ,１Ｃ,１Ｄ,１Ｅ,１Ｆ,１Ｇ,１Ｈ・・・の側端部２ａ,２ｂ相互は、断面ループ状の第１閉鎖布片３の基端部４ａ,４ａ側の下半部３Ａが、前記側端部２ａ,２ｂを縫着する中縫線Ｎ内に挿入されることにより表面側に前記第１閉鎖布片３の上半部３Ｂが突出されるように縫着されているので、傘生地１Ａ,１Ｂ,１Ｃ,１Ｄ,１Ｅ,１Ｆ,１Ｇ,１Ｈ・・・相互は傘生地１Ａ,１Ｂ,１Ｃ,１Ｄ,１Ｅ,１Ｆ,１Ｇ,１Ｈ・・・の表面側に上半部３Ｂが突出された第１閉鎖布片３により仕切られるため、雨水が隣接する傘生地１Ａ,１Ｂ,１Ｃ,１Ｄ,１Ｅ,１Ｆ,１Ｇ,１Ｈ・・・相互に伝わって流れ落ちることなく、各傘地１Ａ,１Ｂ,１Ｃ,１Ｄ,１Ｅ,１Ｆ,１Ｇ,１Ｈ・・・における雨水の分配、排水が確実にかつ効率良く行える。
【００３７】
従って、特許文献１に記載の上記従来の傘では、傘の中棒を把持して傘を傾けると、傾けられた方向に隣接する傘生地を伝って雨水は流れ落ちるので、降雨量が多くなると、傘の局部個所に集中して雨水は流れ落ち、排水が行われるため、使用者はその方向に臨まれる身体部所だけが雨水により濡れ易くなっていたのとは本実施形態は異なる。
【００３８】
また、前記傘生地１Ａ,１Ｂ,１Ｃ,１Ｄ,１Ｅ,１Ｆ,１Ｇ,１Ｈ・・・の底辺部８には、被覆布片９が２つ折りされて切端部８ａが包み込まれるように縫着されているので、被覆布片９より傘生地１Ａ,１Ｂ,１Ｃ,１Ｄ,１Ｅ,１Ｆ,１Ｇ,１Ｈ・・・の底辺部８における切端部８ａからの糸の解れは防止される。
【００３９】
なお、前述のように、傘生地１Ａ,１Ｂ,１Ｃ,１Ｄ,１Ｅ,１Ｆ,１Ｇ,１Ｈ・・・の側端部２ａ,２ｂ相互の縫着部を覆う第１閉鎖布片３、および裏面側から覆う第２閉鎖布片５、さらに、傘生地１Ａ,１Ｂ,１Ｃ,１Ｄ,１Ｅ,１Ｆ,１Ｇ,１Ｈ・・・の底辺部８における切端部８ａを覆う被覆布片９を、前記傘生地１Ａ,１Ｂ,１Ｃ,１Ｄ,１Ｅ,１Ｆ,１Ｇ,１Ｈ・・・の色と調和させたり、変化のある色彩、図柄を施せば、斬新なデザインになり、他社製品との差別化が容易になる。
【産業上の利用可能性】
【００４０】
本考案は、隣接する傘生地の側端部相互を縫着して縫目となる中縫線の開傘時における防水性に優れ、また雨水が隣接する傘生地相互に伝わることなく、各傘地における雨水の分配、排水が確実にかつ効率良く行え、また、傘生地自体は防水性を発揮するものならば如何様な素材のものでも良く、設備費も安価に済むという用途・機能に適する。
【符号の説明】
【００４１】
１Ａ    傘生地
１Ｂ    傘生地
１Ｃ    傘生地
１Ｄ    傘生地
１Ｅ    傘生地
１Ｆ    傘生地
１Ｇ    傘生地
１Ｈ    傘生地
２ａ    側端部
２ｂ    側端部
３      第１閉鎖布片
３Ａ    下半部
３Ｂ    上半部
４ａ    基端部
５      第２閉鎖布片
７      親骨
９      被覆布片
Ｎ      中縫線
【図１】
0003149282.tif 000003
【図２】
0003149282.tif 000004
【図３】
0003149282.tif 000005
【図４】
0003149282.tif 000006
【図５】
0003149282.tif 000007
【図６】
0003149282.tif 000008
【図７】
0003149282.tif 000009